(57)【要約】【課題】電力系統の系統変更の際に一時的に生じる系統ループ状態のときに発生した事故による停電を防止することができる系統ループ時保護システムを提供する。【解決手段】系統ループ時保護システム１０は、電力系統に設置された各遠隔監視制御装置７１Ａ〜７１Ｄおよび各送電線保護継電器６１Ａ〜６１Ｄ，６２Ａ〜６２Ｄとの間で通信網１を介して情報などの送受信を行うための送受信部１３と、事故の発生を示す事故発生情報を遠隔監視制御装置７１Ａ〜７１Ｄから送受信部１３を介して受信すると、各送電線保護継電器６１Ａ〜６１Ｄ，６２Ａ〜６２Ｄの動作時限のうちの最小動作時限Ｔminよりも協調用時限αだけ早く、系統変更に伴い投入された投入対象遮断器５１Ｄを遮断させる遮断指令信号を生成して投入対象遮断器５１Ｄに接続された送電線保護継電器６１Ｄに送受信部１３を介して送信するための遮断指令生成部１１とを具備する。【選択図】図１
2011239552.tif 000002
【特許請求の範囲】
【請求項１】
電力系統の系統変更の際に一時的に生じる系統ループ状態のときに発生した事故による停電を防止するための系統ループ時保護システム（１０）であって、
前記電力系統に設置された各遠隔監視制御装置（７１Ａ〜７１Ｄ）および各送電線保護継電器（６１Ａ〜６１Ｄ，６２Ａ〜６２Ｄ）との間で通信網（１）を介して情報および信号の送受信を行うための送受信部（１３）と、
前記事故の発生を示す事故発生情報を前記遠隔監視制御装置から前記送受信部を介して受信すると、前記各送電線保護継電器の動作時限のうちの最小動作時限（Ｔmin）よりも協調用時限（α）だけ早く前記系統変更に伴い投入された投入対象遮断器（５１Ｄ）を遮断させる遮断指令信号を生成し、該生成した遮断指令信号を該投入対象遮断器に接続された送電線保護継電器（６１Ｄ）に前記送受信部を介して送信するための遮断指令生成部（１１）と、
を具備することを特徴とする、系統ループ時保護システム。
【請求項２】
前記遮断指令信号を受信した前記送電線保護継電器が、前記事故が継続している場合にのみ、前記投入対象遮断器を瞬時に遮断することを特徴とする、請求項１記載の系統ループ時保護システム。
【請求項３】
前記電力系統が平行２回線送電線（ｄ’）を含む場合には、
前記平行２回線送電線を構成する第１および第２の送電線（１Ｌ，２Ｌ）にそれぞれ設置された第１および第２の投入対象遮断器（５１Ｄ１，５１Ｄ2）のうちの第１の投入対象遮断器のみが系統変更に伴い投入されているときに前記事故が発生すると、前記遮断指令生成部が、前記最小動作時限よりも前記協調用時限だけ早く前記第１の投入対象遮断器を遮断させる遮断指令信号を生成し、該生成した遮断指令信号を該第１の投入対象遮断器に接続された第１の送電線保護継電器（６１Ｄ１）に前記送受信部を介して送信し、
前記第１の投入対象遮断器に続いて前記第２の投入対象遮断器が系統変更に伴い投入されているときに前記事故が発生すると、前記遮断指令生成部が、前記最小動作時限よりも前記協調用時限および同時遮断防止用時限（β）だけ早く前記第２の投入対象遮断器を遮断させる遮断指令信号を生成し、該生成した遮断指令信号を該第２の投入対象遮断器に接続された第２の送電線保護継電器（６１Ｄ２）に前記送受信部を介して送信したのち、前記最小動作時限よりも前記協調用時限だけ早く前記第１の投入対象遮断器を遮断させる遮断指令信号を生成し、該生成した遮断指令信号を前記第１の送電線保護継電器に前記送受信部を介して送信する、
ことを特徴とする、請求項１または２記載の系統ループ時保護システム。
【請求項４】
前記第１および第２の投入遮断対象遮断器が共に投入されたのち、他の平行２回線送電線（ｃ’）を構成する他の第１および第２の送電線（１Ｌ，２Ｌ）にそれぞれ設置された第１および第２の遮断対象遮断器（５２Ｄ１，５２Ｄ２）のうちの第１の遮断対象遮断器のみが系統変更に伴い遮断されているときに前記事故が発生すると、前記遮断指令生成部が、前記最小動作時限よりも前記協調用時限だけ早く前記第２の遮断対象遮断器を遮断させる遮断指令信号を生成し、該生成した遮断指令信号を該第２の遮断対象遮断器に接続された第３の送電線保護継電器（６２Ｄ２）に前記送受信部を介して送信することを特徴とする、請求項３記載の系統ループ時保護システム。
【発明の詳細な説明】
【技術分野】
【０００１】
本発明は、系統ループ時保護システムに関し、特に、電力系統の系統変更（切替え）の際に一時的に生じる系統ループ状態のときに発生した事故による停電を防止するのに好適な系統ループ時保護システムに関する。
【背景技術】
【０００２】
たとえば図５（ａ）に示す電力系統は、常時は、同図に実線の×印で示すようにＣ変電所とＤ変電所との間の送電線ｄのＤ変電所側に設置された遮断器５１Ｄを遮断（開放）してループオフとした状態で運用されている。
また、Ａ変電所、Ｂ変電所、Ｃ変電所およびＤ変電所に設置された各送電線保護継電器６１Ａ〜６１Ｄ，６２Ａ〜６２Ｄ，６３Ｂ，６３Ｃの同図にかっこ書で示す動作時限（黒三角印は各送電線保護継電器６１Ａ〜６１Ｄ，６２Ａ〜６２Ｄ，６３Ｂ，６３Ｃにおける事故検出方向を示す。）は、ループオフ時の整定値とされている。
したがって、たとえばＣ変電所とＤ変電所との間の送電線ｄで事故（地絡事故または短絡事故）が発生すると、送電線ｄのＣ変電所側に設置された送電線保護継電器６１Ｃが動作して遮断器５１Ｃを動作時限０．９ｓで遮断することにより、この事故が解消される。
【０００３】
なお、下記の特許文献１には、樹枝状運用とループ運用とを選択可能な配電系統において、配電系統の運用形態の変更に伴う配電線短絡保護継電装置の動作管理を含めた検討・見直し業務の煩雑さを解消するとともに、運用モードに関わらず保護対象となる配電線を最適な保護特性で保護する配電線短絡保護手段を備える配電線短絡保護継電装置が開示されている。
【先行技術文献】
【特許文献】
【０００４】
【特許文献１】特許第３８７９０６７号公報
【発明の概要】
【発明が解決しようとする課題】
【０００５】
しかしながら、図５（ａ）に示した電力系統において系統変更を行う際には、Ｄ変電所から電力供給を受けている顧客への電力供給を継続するために、図５（ｂ）に示すように遮断器５１Ｄを投入したのちに、同図に実線の×印で示すようにＢ変電所とＤ変電所との間の送電線ｃのＤ変電所側に設置された遮断器５２Ｄを遮断している。そのため、系統変更を行う際には、図６（ａ）に示すように２つの遮断器５１Ｄ，５２Ｄが共に投入された系統ループ状態が一時的に生じる。
【０００６】
このような系統ループ状態のときに、図６（ｂ）に示すようにＣ変電所とＤ変電所との間の送電線ｄで事故が発生すると、上述したように送電線保護継電器６１Ｃが動作して遮断器５１Ｃを動作時限０．９ｓで遮断するが、同図に実線の×印で示すようにＢ変電所とＤ変電所との間の送電線ｃのＢ変電所側に設置された送電線保護継電器６２Ｂも動作して遮断器５２Ｂを動作時限１．３ｓで遮断するため、Ｄ変電所から電力供給を受けている顧客への電力供給がストップして停電するという問題があった。
【０００７】
本発明の目的は、電力系統の系統変更の際に一時的に生じる系統ループ状態のときに発生した事故による停電を防止することができる系統ループ時保護システムを提供することにある。
【課題を解決するための手段】
【０００８】
本発明の系統ループ時保護システムは、電力系統の系統変更の際に一時的に生じる系統ループ状態のときに発生した事故による停電を防止するための系統ループ時保護システム（１０）であって、前記電力系統に設置された各遠隔監視制御装置（７１Ａ〜７１Ｄ）および各送電線保護継電器（６１Ａ〜６１Ｄ，６２Ａ〜６２Ｄ）との間で通信網（１）を介して情報および信号の送受信を行うための送受信部（１３）と、前記事故の発生を示す事故発生情報を前記遠隔監視制御装置から前記送受信部を介して受信すると、前記各送電線保護継電器の動作時限のうちの最小動作時限（Ｔmin）よりも協調用時限（α）だけ早く前記系統変更に伴い投入された投入対象遮断器（５１Ｄ）を遮断させる遮断指令信号を生成し、該生成した遮断指令信号を該投入対象遮断器に接続された送電線保護継電器（６１Ｄ）に前記送受信部を介して送信するための遮断指令生成部（１１）とを具備することを特徴とする。
ここで、前記遮断指令信号を受信した前記送電線保護継電器が、前記事故が継続している場合にのみ、前記投入対象遮断器を瞬時に遮断してもよい。
前記電力系統が平行２回線送電線（ｄ’）を含む場合には、前記平行２回線送電線を構成する第１および第２の送電線（１Ｌ，２Ｌ）にそれぞれ設置された第１および第２の投入対象遮断器（５１Ｄ１，５１Ｄ2）のうちの第１の投入対象遮断器のみが系統変更に伴い投入されているときに前記事故が発生すると、前記遮断指令生成部が、前記最小動作時限よりも前記協調用時限だけ早く前記第１の投入対象遮断器を遮断させる遮断指令信号を生成し、該生成した遮断指令信号を該第１の投入対象遮断器に接続された第１の送電線保護継電器（６１Ｄ１）に前記送受信部を介して送信し、前記第１の投入対象遮断器に続いて前記第２の投入対象遮断器が系統変更に伴い投入されているときに前記事故が発生すると、前記遮断指令生成部が、前記最小動作時限よりも前記協調用時限および同時遮断防止用時限（β）だけ早く前記第２の投入対象遮断器を遮断させる遮断指令信号を生成し、該生成した遮断指令信号を該第２の投入対象遮断器に接続された第２の送電線保護継電器（６１Ｄ２）に前記送受信部を介して送信したのち、前記最小動作時限よりも前記協調用時限だけ早く前記第１の投入対象遮断器を遮断させる遮断指令信号を生成し、該生成した遮断指令信号を前記第１の送電線保護継電器に前記送受信部を介して送信してもよい。
前記第１および第２の投入遮断対象遮断器が共に投入されたのち、他の平行２回線送電線（ｃ’）を構成する他の第１および第２の送電線（１Ｌ，２Ｌ）にそれぞれ設置された第１および第２の遮断対象遮断器（５２Ｄ１，５２Ｄ２）のうちの第１の遮断対象遮断器のみが系統変更に伴い遮断されているときに前記事故が発生すると、前記遮断指令生成部が、前記最小動作時限よりも前記協調用時限だけ早く前記第２の遮断対象遮断器を遮断させる遮断指令信号を生成し、該生成した遮断指令信号を該第２の遮断対象遮断器に接続された第３の送電線保護継電器（６２Ｄ２）に前記送受信部を介して送信してもよい。
【発明の効果】
【０００９】
本発明の系統ループ時保護システムは、以下に示す効果を奏する。
（１）系統ループ状態のときに事故が発生すると、系統変更に伴い投入された投入対象遮断器を各送電線保護継電器の動作時限のうちの最小動作時限よりも協調用時限だけ早く遮断させることにより、ループオフ状態に早く戻すことができるため、系統ループ状態のときに事故が発生しても停電が発生することを防止できる。
（２）公共設備への電力供給を行っている電力系統に適用することにより、公共設備の運転信頼度の向上を図ることができる。
【図面の簡単な説明】
【００１０】
【図１】本発明の一実施例による系統ループ時保護システム１０の構成を示す図である。
【図２】送電線が平行２回線送電線である場合の系統ループ時保護システム１０の動作について説明するための図である。
【図３】送電線が平行２回線送電線である場合の系統ループ時保護システム１０の動作について説明するための図である。
【図４】送電線が平行２回線送電線である場合の系統ループ時保護システム１０の動作について説明するためのフローチャートである。
【図５】系統変更を行う際に一時的に生じる系統ループ状態のときに発生する停電について説明するための図である。
【図６】系統変更を行う際に一時的に生じる系統ループ状態のときに発生する停電について説明するための図である。
【発明を実施するための形態】
【００１１】
上記の目的を、系統ループ状態のときに事故が発生すると、系統変更に伴い投入された投入対象遮断器を、各送電線保護継電器の動作時限のうちの最小動作時限よりも協調用時限だけ早く遮断させることにより実現した。
【実施例１】
【００１２】
以下、本発明の系統ループ時保護システムの実施例について図面を参照して説明する。
本発明の一実施例による系統ループ時保護システム１０は、図１に示すように、遮断指令生成部１１と、入出力部１２と、送受信部１３と、系統情報データベース（系統情報ＤＢ）１４と、整定データベース（整定ＤＢ）１５とを具備する。
【００１３】
ここで、系統情報データベース１４には、系統変更の対象となる変電所、送電線およびこの送電線に設置されている送電線保護継電器や遮断器などを示す系統情報が電力系統名に関連付けられて格納されている。
整定テータベース１５には、各送電線保護継電器の動作時限（ループオフ時の整定値）を示す動作時限情報が格納されている。
【００１４】
入出力部１２は、系統変更を行う際に、電力系統名、系統変更に伴い投入される遮断器（以下、「投入対象遮断器」と称する。）および系統変更に伴い遮断される遮断器（以下、「遮断対象遮断器」と称する。）などを示す系統変更開始情報を遮断指令生成部１１に入力したり、遮断指令生成部１１から入力される系統変更中の事故発生などの警報や表示を行ったりするためのものである。
【００１５】
送受信部１３は、各変電所に設置されている遠隔監視制御装置（図１に示す遠隔監視制御装置７１Ａ〜７１Ｄなど）および送電線保護継電器（図５（ａ）に示した送電線保護継電器６１Ａ〜６１Ｄ，６２Ａ〜６２Ｄ，６３Ｂ，６３Ｃなど）と通信網１を介して相互接続されており、各遠隔監視制御装置から送信されてくる各種の情報（後述する事故発生情報や遮断器情報など）を受信して遮断指令生成部１１に出力したり、遮断指令生成部１１から入力される遮断指令信号を送電線保護継電器に送信したりするためのものである。
【００１６】
遮断指令生成部１１は、系統変更開始情報が入出力部１２から入力されると、電力系統の系統変更に伴い一時的に生じる系統ループ状態時に、この電力系統内で事故が発生したことを示す事故発生情報を遠隔監視制御装置から受信すると、系統情報データベース１４に格納されている系統情報および整定テータベース１５に格納されている動作時限情報を参照して、この電力系統内に設置されているすべての送電線保護継電器の動作時限のうちの最小動作時限Ｔminよりも協調用時限αだけ早く投入対象遮断器を遮断させる遮断指令信号を生成し、生成した遮断指令信号を投入対象遮断器に接続された送電線保護継電器に送受信部１３および通信網１を介して送信するためのものである。
【００１７】
以下、図５（ａ）に示した電力系統においてＤ変電所に設置された遮断器５１Ｄ（投入対象遮断器）を投入して系統変更を行う場合の系統ループ時保護システム１０の動作について説明する。
【００１８】
作業員は、電力系統名、投入対象遮断器である遮断器５１Ｄおよび遮断対象遮断器である遮断器５２Ｄなどを示す系統変更開始情報を遮断指令生成部１１に入出力部１２を用いて入力する。
【００１９】
遮断指令生成部１１は、入出力部１２から入力される系統変更開始情報に含まれている電力系統名に基づいて系統情報データベース１４を検索して、この電力系統の系統情報（系統変更の対象となるＡ変電所、Ｂ変電所、Ｃ変電所およびＤ変電所と、これらの変電所間の送電線ａ〜ｄと、送電線ａ〜ｄに設置されている送電線保護継電器６１Ａ〜６１Ｄ，６２Ａ〜６２Ｄおよび遮断器５１Ａ〜５１Ｄ，５２Ａ〜５２Ｄとを含む。）を読み出したのち、読み出した系統情報に含まれている送電線保護継電器６１Ａ〜６１Ｄ，６２Ａ〜６２Ｄに基づいて整定テータベース１５を検索して、送電線保護継電器６１Ａ〜６１Ｄ，６２Ａ〜６２Ｄの動作時限を示す動作時限情報を読み出す。
遮断指令生成部１１は、整定テータベース１５から読み出した動作時限情報を参照して、送電線保護継電器１３１〜１３８の動作時限のうち最小である最小動作時限Ｔminを求める。この例では、Ｂ変電所の送電線保護継電器６１Ｂ、Ｃ変電所の送電線保護継電器６２ＣおよびＤ変電所の送電線保護継電器６２Ｄの動作時限である０．５ｓが最小動作時限Ｔminとなる（図５（ａ）参照）。
【００２０】
また、遮断指令生成部１１は、系統情報データベース１４から読み出した系統情報に含まれているＡ変電所、Ｂ変電所、Ｃ変電所およびＤ変電所にそれぞれ設置されている遠隔監視制御装置７１Ａ〜７１Ｄに対して、系統情報データベース１４から読み出した系統情報に含まれている遮断器５１Ａ〜５１Ｄ，５２Ａ〜５２Ｄの開閉状態を示す遮断器情報を送信するように、送受信部１３および通信網１を介して要求する。
【００２１】
遮断指令生成部１１は、遠隔監視制御装置７１Ａ〜７１Ｄから送信されてくる遮断器情報に含まれている投入対象遮断器５１Ｄおよび遮断対象遮断器５２Ｄが共に投入状態になっている（すなわち、一時的に系統ループ状態になっている）と、遠隔監視制御装置７１Ａ〜７１Ｄから事故発生情報が送信されてこないか監視する。
【００２２】
たとえば、投入対象遮断器５１Ｄおよび遮断対象遮断器５２Ｄが共に投入状態になっている間に図６（ａ）に示したようにＣ変電所とＤ変電所との間の送電線ｄで事故が発生したことを示す事故発生情報が遠隔監視制御装置７１Ｃ，７１Ｄから送信されてくると、遮断指令生成部１１は、遮断指令信号を生成し、最小動作時限Ｔmin＝０．５ｓから協調用時限α＝０．２ｓを引いた時限Ｔmin−α＝０．５ｓ−０．２ｓ＝０．３ｓ経過後に、投入対象遮断器５１Ｄが接続された送電線保護継電器６１Ｄに送受信部１３および通信網１を介して遮断指令信号を送信する。
【００２３】
この遮断指令信号を受信した送電線保護継電器６１Ｄは投入対象遮断器５１Ｄを瞬時に遮断する。
これにより、事故発生から０．３ｓ後に投入対象遮断器５１Ｄが遮断されるため、図６（ｂ）に示したように事故発生から０．９ｓ後に送電線保護継電器６１Ｃによって遮断器５１Ｃは遮断されるが、送電線保護継電器６２Ｂによって事故発生から１．３ｓ後に遮断器５２Ｂが遮断されることはなくなる。その結果、Ｄ変電所から電力供給を受けている顧客への電力供給がストップして停電することを防止できる。
【００２４】
以上では、送電線ａ〜ｄが１回線送電線である場合の系統ループ時保護システム１０の動作について説明したが、送電線ａ〜ｄが平行２回線送電線ａ’〜ｄ’である場合の系統ループ時保護システム１０の動作について、図２乃至図４を参照して説明する。
【００２５】
図２（ａ）に示すようにＣ変電所とＤ変電所との間の送電線ｄが平行２回線送電線ｄ’（第１および第２の送電線１Ｌ，２Ｌからなる。）である場合には、系統変更を行うために、図２（ｂ）に示すように平行２回線送電線ｄ’の第１の送電線１ＬのＤ変電所側に設置された遮断器５１Ｄ１（投入対象遮断器５１Ｄ１）が先ず投入される（図４のステップＳ１１）。
【００２６】
このような投入対象遮断器５１Ｄ１のみが投入された状態（すなわち、第１の送電線１Ｌのみ系統ループ状態）で、図２（ｃ）に示すように平行２回線送電線ｄ’の第１の送電線１Ｌで事故が発生すると（ステップＳ１２）、遮断指令生成部１１は、遠隔監視制御装置７１Ｃ，７１Ｄから送信されてくる事故発生情報に応じて遮断指令信号を生成し、最小動作時限Ｔmin＝０．５ｓから協調用時限α＝０．２ｓを引いた時限Ｔmin−α＝０．５ｓ−０．２ｓ＝０．３ｓ経過後に遮断指令信号を投入対象遮断器５１Ｄ１が接続された送電線保護継電器６１Ｄ１に送受信部１３および通信網１を介して送信する（ステップＳ１３）。
【００２７】
この遮断指令信号を受信した送電線保護継電器６１Ｄ１は、図２（ｃ）に破線の×印で示すように投入対象遮断器５１Ｄ１を瞬時に遮断する（ステップＳ１４）。
【００２８】
これにより、２つの遮断対象遮断器５１Ｄ１，５１Ｄ２が共に遮断されたループオフ状態に戻される。その結果、事故が発生した平行２回線送電線ｄ’の第１の送電線１ＬのＣ変電所側に設置された遮断器５１Ｃ１は送電線保護継電器６１Ｃ１によって動作時限０．９ｓ経過後に遮断されるが、Ｄ変電所から電力供給を受けている顧客への電力供給がストップして停電することを防止できる。
【００２９】
一方、ステップＳ１２において事故が発生していないと、図２（ｄ）に示すようにこの平行２回線送電線ｄ’の第２の送電線２ＬのＤ変電所側に設置された遮断器５１Ｄ２（投入対象遮断器５１Ｄ２）が続いて投入される（ステップＳ１５）。
【００３０】
このような２つの投入対象遮断器５１Ｄ１，５１Ｄ２が共に投入された状態（すなわち、第１および第２の送電線１Ｌ，２Ｌが共に系統ループ状態）で、図２（ｅ）に示すように平行２回線送電線ｄ’の第１の送電線１Ｌで事故が発生すると（ステップＳ１６）、遮断指令生成部１１は、遠隔監視制御装置７１Ｃ，７１Ｄから送信されてくる事故発生情報に応じて遮断指令信号を生成し、最小動作時限Ｔmin＝０．５ｓから協調用時限α＝０．２ｓおよび同時遮断防止用時限β（＝α／２）＝０．１ｓを引いた時限Ｔmin−α−β＝０．５ｓ−０．２ｓ−０．１ｓ＝０．２ｓ経過後に遮断指令信号を後に投入された投入対象遮断器５１Ｄ２が接続された送電線保護継電器６１Ｄ２に送受信部１３および通信網１を介して送信する（ステップＳ１７）。
【００３１】
この遮断指令信号を受信した送電線保護継電器６１Ｄ２は、図２（ｅ）に破線の×印で示すように投入対象遮断器５１Ｄ２を瞬時に遮断する（ステップＳ１８）。
【００３２】
また、遮断指令生成部１１は、最小動作時限Ｔmin＝０．５ｓから協調用時限α＝０．２ｓを引いた時限Ｔmin−α＝０．５ｓ−０．２ｓ＝０．３ｓ経過後に遮断指令信号を先に投入された投入対象遮断器５１Ｄ１が接続された送電線保護継電器６１Ｄ１に送受信部１３および通信網１を介して送信する（ステップＳ１９）。
【００３３】
この遮断指令信号を受信した送電線保護継電器６１Ｄ１は、図２（ｆ）に破線の×印で示すように投入対象遮断器５１Ｄ１を瞬時に遮断する（ステップＳ２０）。
【００３４】
これにより、２つの遮断対象遮断器５１Ｄ１，５２Ｄ２が共に遮断されたループオフ状態に戻される。その結果、事故が発生した平行２回線送電線ｄ’の第１の送電線１ＬのＣ変電所側に設置された遮断器５１Ｃ１は送電線保護継電器６１Ｃ１によって動作時限０．９ｓ経過後に遮断されるが、Ｄ変電所から電力供給を受けている顧客への電力供給がストップして停電することを防止できる。
【００３５】
一方、ステップＳ１６において事故が発生していないと、図３（ａ）に示すようにＢ変電所とＤ変電所との間の平行２回線送電線ｃ’の第１の送電線１ＬのＤ変電所側に設置された遮断器５２Ｄ１（遮断対象遮断器５２Ｄ１）が遮断される（ステップＳ２１）。
【００３６】
このような遮断対象遮断器５２Ｄ１のみが遮断された状態（すなわち、第２の送電線２Ｌのみ系統ループ状態）で、図３（ｂ）に示すようにＣ変電所とＤ変電所との間の平行２回線送電線ｄ’の第２の送電線２Ｌで事故が発生すると（ステップＳ２２）、遮断指令生成部１１は、遠隔監視制御装置７１Ｃ，７１Ｄから送信されてくる事故発生情報に応じて遮断指令信号を生成し、最小動作時限Ｔmin＝０．５ｓから協調用時限α＝０．２ｓを引いた時限Ｔmin−α＝０．５ｓ−０．２ｓ＝０．３ｓ経過後に遮断指令信号を、平行２回線送電線ｃ’の第１の送電線１ＬのＤ変電所側に設置された送電線保護継電器６２Ｄ２に送受信部１３および通信網１を介して送信する（ステップＳ２３）。
【００３７】
この遮断指令信号を受信した送電線保護継電器６２Ｄ２は、図３（ｂ）に破線の×印で示すように遮断器５２Ｄ２（遮断対象遮断器５２Ｄ２）を瞬時に遮断する（ステップＳ２４）。
【００３８】
これにより、２つの遮断対象遮断器５２Ｄ１，５２Ｄ２が共に遮断されて、ループオフ状態とされる。その結果、事故が発生した平行２回線送電線ｄ’の第２の送電線２ＬのＣ変電所側に設置された遮断器５１Ｃ２は送電線保護継電器６１Ｃ２によって動作時限０．９ｓ経過後に遮断されるが、Ｄ変電所から電力供給を受けている顧客への電力供給がストップして停電することを防止できる。
【００３９】
以上の説明では、遮断指令信号を受信した送電線保護継電器は遮断器（投入対象遮断器または遮断対象遮断器）を瞬時に遮断したが、フェールセーフのために、この送電線保護継電器が設置されている変電所において事故が継続しているか否かを検出して、事故が継続している場合にのみ遮断器（投入対象遮断器または遮断対象遮断器）を瞬時に遮断するようにしてもよい。
【符号の説明】
【００４０】
１  通信網
１０  系統ループ時保護システム
１１  遮断指令生成部
１２  入出力部
１３  送受信部
１４  系統情報データベース（系統情報ＤＢ）
１５  整定データベース（整定ＤＢ）
５１Ａ〜５１Ｄ，５２Ａ〜５２Ｄ，５３Ｂ，５３Ｃ，５１Ｃ１，５１Ｃ２，５１Ｄ１，５１Ｄ２，５２Ｄ１，５２Ｄ２  遮断器
６１Ａ〜６１Ｄ，６２Ａ〜６２Ｄ，６３Ｂ，６３Ｃ，６１Ｃ１，６１Ｃ２，６１Ｄ１，６１Ｄ２，６２Ｄ１，６２Ｄ２  送電線保護継電器
７１Ａ〜７１Ｄ  遠隔監視制御装置
ａ〜ｄ  送電線
ａ’〜ｄ’  平行２回線送電線
１Ｌ，２Ｌ  第１および第２の送電線
α  協調用時限
β  同時遮断防止用時限
Ｓ１１〜Ｓ２４  ステップ
【図１】
2011239552.tif 000003
【図２】
2011239552.tif 000004
【図３】
2011239552.tif 000005
【図４】
2011239552.tif 000006
【図５】
2011239552.tif 000007
【図６】
2011239552.tif 000008